(57)【要約】【課題】  フォーカシングスクリーン交換時の保持安定性を向上させる【解決手段】  フォーカシングスクリーン１４の奥側に係止部１４ａを設け、スクリーンホルダ１７に設けられた係止溝部１７ａと係合させる。フォーカシングスクリーン１４の交換時に浮きが生じても、係止部１４ａにより、脱落を防止することができる。【選択図】  図１１
2007025554.tif 000002
【特許請求の範囲】
【請求項１】
フォーカシングスクリーンの光軸方向位置決めを行うセット位置と、前記フォーカシングスクリーンを着脱する着脱位置との間で移動可能な保持部材であるスクリーンホルダを備えたカメラのフォーカシングスクリーン保持機構において、フォーカシングスクリーンの高さ方向を決定する突き当て部と、前記スクリーンホルダを回転ガイドするヒンジ部と、前記スクリーンホルダに設けられフォーカシングスクリーンを前記突き当て部に押し付けるロックバネとを有し、前記突き当て部にフォーカシングスクリーンの端部が当接する第１の点と、前記ロックバネがフォーカシングスクリーンに当接する第２の点が離間していて、前記第２の点よりも第１の点に近い場所にフォーカシングスクリーンの係止機構を有する事を特徴とするカメラのフォーカシングスクリーン保持機構。
【請求項２】
前記係止機構が、フォーカシングスクリーンの左右に突出した突起部と、スクリーンホルダに設けられた切欠き溝により構成されている事を特徴とする請求項１に記載のカメラのフォーカシングスクリーン保持機構。
【発明の詳細な説明】
【技術分野】
【０００１】
本発明は、一眼レフカメラ、一眼レフ型デジタルスチルカメラ等において、フォーカシングスクリーンの交換機構を有したカメラのフォーカシングスクリーン保持機構に関する。
【背景技術】
【０００２】
一眼レフカメラ、一眼レフ型デジタルスチルカメラでは、使用するレンズや被写体の状態に応じてフォーカシングスクリーンを交換可能に構成したカメラが既に発売されている。
【０００３】
また、ファインダのピントと撮影系のピントの相互差を無くする為に、従来より撮影光学系のピント位置とファインダ光学系のピント位置は独立して調整が可能な構成をとっている。すなわち、撮影系のピント位置はレンズの装着されるマウント位置で行われ、ファインダ系のピント位置はフォーカシングスクリーンの位置を調整する構成が一般的である。
【０００４】
ここで、フォーカシングスクリーンの位置調整としては、フォーカシングスクリーンの上面にピントワッシャを配し、そのピントワッシャの厚みを変化させる事でファインダ系のピント位置を調整する構成がとられている。
【０００５】
この場合、ピントワッシャの厚みにより、フォーカシングスクリーンの位置が変化するので、フォーカシングスクリーンをピントワッシャに押し付ける部分にバネ等の吸収構造を持たせたフォーカシングスクリーンの交換構造が知られている（特許文献１参照）。
【０００６】
また、フォーカシングスクリーンの他の交換構造としては、ファインダピントの調整はファインダユニット全体を調整する構造とし前記吸収構造が無く、フォーカシングスクリーンの保持枠が回動して交換されるようにした構造が知られている（特許文献２，３参照）。
【特許文献１】特開平１０−１４８８７４号公報
【特許文献２】特開平０８−０５４６６６号公報
【特許文献３】特開２００１−１７４８８０号公報
【発明の開示】
【発明が解決しようとする課題】
【０００７】
しかしながら、上記従来例には次のような欠点があった。
【０００８】
特許文献１の従来例では、ピントワッシャの厚さの変化の吸収をフォーカシングスクリーンを保持する枠に設けられたバネで吸収する為、特に厚いピントワッシャが入った場合、フォーカシングスクリーン装着時にフォーカシングスクリーンに浮きが発生し、装着の操作性が悪化する問題があった。また、特許文献２、３の従来例では、ピント調整をファインダユニット全体で行っており、調整が非常に難しいという問題があった。
【課題を解決するための手段】
【０００９】
上記課題を解決する為に、本発明によるカメラのフォーカシングスクリーン保持機構は、フォーカシングスクリーンの光軸方向位置決めを行うセット位置と、前記フォーカシングスクリーンを着脱する着脱位置との間で移動可能な保持部材であるスクリーンホルダを備えたカメラのフォーカシングスクリーン保持機構において、フォーカシングスクリーンの高さ方向を決定する突き当て部と、前記スクリーンホルダを回転ガイドするヒンジ部と、前記スクリーンホルダに設けられフォーカシングスクリーンを前記突き当て部に押し付けるロックバネとを有し、前記突き当て部にフォーカシングスクリーンの端部が当接する第１の点と、前記ロックバネがフォーカシングスクリーンに当接する第２の点が離間していて、前記第２の点よりも第１の点に近い場所にフォーカシングスクリーンの係止機構を有する事を特徴とする。
【発明の効果】
【００１０】
本発明によるフォーカシングスクリーンの保持構造では、単純なファインダピントの調整機構を維持しつつ、フォーカシングスクリーン交換時の作業性及び安定性が向上する効果が得られる。
【発明を実施するための最良の形態】
【００１１】
以下、本発明の実施例について図面を参照しながら説明する。
【００１２】
図１は、カメラを横から見た断面図である。図１において、１はデジタルスチルカメラ本体、２は不図示の交換レンズとバヨネット結合するマウント、３は半透過になっている主ミラーで、主ミラーホルダ４に保持されている。主ミラー３と主ミラーホルダ４は、露光時に一緒に上方に跳ね上がる。５は、不図示のオートフォーカス検出系に光を導く為のサブミラーで、サブミラーホルダ６に保持されている。サブミラーホルダ６は、主ミラーホルダー４に保持されており、主ミラーホルダ４が上方に跳ね上がる時に、一緒に跳ね上がるようになっている。７は、シャッタで露光時間の制御を行う。８は、ミラーボックスである。
【００１３】
９はカメラの前カバー、１０は上カバー、１１は後カバー、１２は底カバーである。１３は、ペンタプリズムである。１４はフォーカシングスクリーン、１５はピントワッシャ、１６は表示板であり、該表示板１６には不図示の測距枠が表示される。１７は、フォーカシングスクリーン１４を保持するスクリーンホルダで、該スクリーンホルダ１７には、バネ１８が保持されている。該バネ１８により、フォーカシングスクリーン１４はピントワッシャ１５に押し付けられて高さ方向の位置が決められている。
【００１４】
前記バネ１８の存在により、ピントワッシャ１５の厚さが変わっても、フォーカシングスクリーン１４は確実にピントワッシャ１５に押し付けられる。この為、ピントワッシャ１５の厚さを調整することで、ファインダのピント調整が可能となっている。ファインダのピント調整は、この様に単純な構成でなされている。
【００１５】
スクリーンホルダ１７は、スクリーンホルダ軸１９で、ミラーボックス８に対し、回動可能に保持されている。２０はロックバネで、ミラーボックス８に保持されている。ロックバネ２０は、スクリーンホルダ１７を引っ掛け保持していると共に、スクリーンホルダ２０を図１の右方向に押し付けている。
【００１６】
フォーカシングスクリーン１４は、図１の右端がミラーボックス８に突き当たり、左端がスクリーンホルダ１７に突き当たっている。前記ロックバネ２０の付勢力により、フォーカシングスクリーン１４はスクリーンホルダ１７ごとミラーボックス８に押し付けられてその位置が規定される。２１は接点ブロックで、不図示の交換レンズと信号の授受を行う。２２は、カバー板でミラーボックス８に固定されている。カバー板２２には、弾性部材であるモルトプレン２３が貼り付けられている。該モルトプレン２３は、主ミラー３が上方に跳ね上がった時に、位置の規制と衝撃の吸収を行う。
【００１７】
フォーカシングスクリーン１４の交換時は、ロックバネ２０を図１の左方向に移動させ、スクリーンホルダ１７のロックを解除すると、スクリーンホルダ１７がスクリーンホルダ軸１９を中心に図１の反時計回りに回転してフォーカシングスクリーン１４が交換可能となる。図２はフォーカシングスクリーン１４の上面図、図３はフォーカシングスクリーン１４の側面図である。両図において、１４ａは一対の係止突起部、１４ｂは一対の左右位置規制部、１４ｃは一対の突き当て部、１４ｄは交換用つまみ部であり、それぞれフォーカシングスクリーン１４と一体的に形成されている。図４はスクリーンホルダ１７の上面図、図５はスクリーンホルダ１７の側面図、図６は図４のＡ−Ａ断面図である。これらの図において、１７ａは係止溝部、１７ｂはバネ１８の初期位置規制部、１７ｃはスクリーンホルダ軸１９が入るヒンジ部、１７ｄは前記ロックバネ２０と係合する保持部である。図７は、フォーカシングスクリーン１４とスクリーンホルダ１７の組み合わせを示す斜視図である。同図において、係止突起部１４ａが係止溝部１７ａに入る事が示されている。図８は、フォーカシングスクリーン１４の位置決め関係を示す断面図である。同図において、左右の位置決め用に一対の位置決めビス２４がフォーカシングスクリーン１４の一対の左右位置決め部１４ｂ（図２参照）に所定のクリアランスを持った状態で固定されている。これにより、フォーカシングスクリーン１４の左右方向の位置決めがなされる。また、スクリーンホルダ１７の保持部１７ｄはロックバネ２０と係合し、図８の上方向に押し上げられている。また、スクリーンホルダ１７が押されると、内側に保持されているフォーカシングスクリーン１４も同時に押され、フォーカシングスクリーン１４の突き当て部１４ｃがミラーボックス８に突き当たり、フォーカシングスクリーン１４の上下方向の位置決めがなされる。
【００１８】
図９乃至図１４は、フォーカシングスクリーン１４の取り付け時の動きについて異なる作動状態を示した図である。図９が交換時の状態で、スクリーンホルダ１７はロックバネ２０が外されて下方に下がっている。この時に、フォーカシングスクリーン１４は着脱可能である。図１４は完全装着状態で、ロックバネ２０によりスクリーンホルダ１７とフォーカシングスクリーン１４は固定されている。図１０乃至図１３は、図９と図１４の間の状態を示している。図１０の状態で、フォーカシングスクリーン１４がＢ点でピントワッシャ１５に当接している。図１１になると、Ｃ点を支点、Ｂ点を作用点として、フォーカシングスクリーン１４に回転運動が生じ、スクリーンホルダ１７から先端部分が外れる。この時、係止突起部１４ａは係止溝部１７ａの奥側に入り込む動きをし、この動きにより図１１のＤ点でフォーカシングスクリーン１４はスクリーンホルダ１７に対し係止される。この為、スクリーンホルダ１７からフォーカシングスクリーン１４がずり落ちる心配は生じない。更に図１２の状態になると、Ｃ点を支点、Ｂ点を作用点としたテコの動きでフォーカシングスクリーン１４はスクリーンホルダ１７から更に外れる方向に跳ね上がるが、支点Ｃ点より作用点Ｂ点側に係止点Ｄがあるので、係止突起部１４ａは係止溝部１７ａの更に奥に入り、ずり落ち防止効果はより高くなる。フォーカシングスクリーン１４装着の最終段階である図１３の状態になると、フォーカシングスクリーン１４がピントワッシャ１５に全体で当接し、支点Ｃ点のバネ１８が縮み始める。この時、跳ね上がっていたフォーカシングスクリーン１４はこれ以上跳ね上がれなくなるので、スクリーンホルダ１７が追いついてくる形で再び先端が収納されてくる。その後、図１４の状態で、スクリーンホルダ１７はロックバネ２０によりロックされる。
【００１９】
本発明の保持機構では、フォーカシングスクリーン１４の保持の為のバネ１８がフォーカシングスクリーン１４に接する点（支点）より、フォーカシングスクリーン１４がピントワッシャ１５に当接する点（作用点）側に係止部を設けているので、フォーカシングスクリーン１４の先端が浮き上がる程係止部の結合が深くなるので、ずり落ち防止の効果が強くなる。また、フォーカシングスクリーン１４の着脱時には、係止部は殆ど入り込んでいないので、着脱の妨げになる事は無い。
【図面の簡単な説明】
【００２０】
【図１】カメラを横から見た断面図。
【図２】フォーカシングスクリーンの上面図。
【図３】フォーカシングスクリーンの側面図。
【図４】スクリーンホルダの上面図。
【図５】スクリーンホルダの側面図。
【図６】スクリーンホルダのＡ−Ａ断面図。
【図７】フォーカシングスクリーンとスクリーンホルダの斜視図。
【図８】フォーカシングスクリーンの位置決めを示す断面図。
【図９】フォーカシングスクリーン交換時の異なる作動状態を示す図。
【図１０】フォーカシングスクリーン交換時の異なる作動状態を示す図。
【図１１】フォーカシングスクリーン交換時の異なる作動状態を示す図。
【図１２】フォーカシングスクリーン交換時の異なる作動状態を示す図。
【図１３】フォーカシングスクリーン交換時の異なる作動状態を示す図。
【図１４】フォーカシングスクリーン交換時の異なる作動状態を示す図。
【符号の説明】
【００２１】
１４  フォーカシングスクリーン
１４ａ  係止突起部
１４ｂ  左右位置決め部
１４ｃ  突き当て部
１４ｄ  交換用つまみ部
１５  ピントワッシャ
１７  スクリーンホルダ
１７ａ  係止溝部
１７ｃ  ヒンジ部
１７ｄ  保持部
１８  バネ
１９  スクリーンホルダ軸
２０  ロックバネ
【図１】
2007025554.tif 000003
【図２】
2007025554.tif 000004
【図３】
2007025554.tif 000005
【図４】
2007025554.tif 000006
【図５】
2007025554.tif 000007
【図６】
2007025554.tif 000008
【図７】
2007025554.tif 000009
【図８】
2007025554.tif 000010
【図９】
2007025554.tif 000011
【図１０】
2007025554.tif 000012
【図１１】
2007025554.tif 000013
【図１２】
2007025554.tif 000014
【図１３】
2007025554.tif 000015
【図１４】
2007025554.tif 000016